(57)【特許請求の範囲】
【請求項１】
各通信端末装置との通信可能な伝送レートをサブキャリア単位で推定し、推定した伝送レートに基づいて前記各通信端末装置への通信リソースの割り振りをサブキャリア単位で行い、割り振られたサブキャリアを用いて前記各通信端末装置に割り振り情報及びデータを送信する基地局装置と複数のサブキャリアを用いて通信する通信端末装置であって、
受信したパイロット信号の受信品質をサブキャリア毎に算出する受信品質算出手段と、
前記受信品質から基地局とのデータの通信に可能なレートをサブキャリア毎に算出する伝送レート算出手段と、
前記レートに基づいてサブキャリア毎に基地局装置に要求する通信のレートを示すデータレートリクエスト信号を作成する要求信号作成手段と、
前記データレートリクエスト信号を前記基地局装置に送信する送信手段と、
前記割り振り情報に従って受信信号からサブキャリア単位で自局宛のデータを抽出する信号抽出手段を具備することを特徴とする通信端末装置。
【請求項２】
受信信号に拡散符号を乗算して逆拡散する逆拡散手段を具備し、信号抽出手段は、逆拡散された受信信号の品質に基づいて受信信号から自局宛のデータを抽出する請求項１に記載の通信端末装置。
【請求項３】
信号抽出手段は、逆拡散された受信信号の品質を閾値判定する請求項２に記載の通信端末装置。
【請求項４】
受信信号より通信リソースの割り振りを報知する制御信号を抽出する制御信号抽出手段と、前記制御信号より自局宛の割り振り情報を抽出する情報抽出手段とを具備し、信号抽出手段は、前記割り振り情報に従って自局宛のデータを抽出する請求項２に記載の通信端末装置。
【請求項５】
通信端末装置において、受信したパイロット信号の受信品質を算出し、前記受信品質から基地局装置とのデータの通信に可能なレートをサブキャリア毎に算出し、前記レートに基づいてサブキャリア毎に基地局装置に要求する通信のレートを示すデータレートリクエスト信号を作成して前記基地局装置に送信し、
前記基地局装置において、サブキャリア毎のデータレートリクエスト信号を受信し、前記データレートリクエスト信号から各通信端末装置との通信可能な伝送レートをサブキャリア単位で推定し、推定した伝送レートに基づいて前記各通信端末装置への通信リソースの割り振りをサブキャリア単位で行い、割り振られたサブキャリアを用いて前記各通信端末装置に割り振り情報及びデータを送信し、
前記通信端末装置において、前記割り振り情報に従って前記データからサブキャリア単位で自局宛のデータを抽出する通信方法。
【発明の詳細な説明】
【０００１】
【発明の属する技術分野】
本発明は、通信端末装置及び通信方法に関する。
【０００２】
【従来の技術】
セルラー通信システムは、１つの基地局が複数の通信端末と同時に無線通信を行うもので、近年の需要増加に伴い、伝送効率を高めることが要求されている。
【０００３】
基地局から通信端末への下り回線の伝送効率を高める技術としてＨＤＲ（Ｈｉｇｈ  Ｄａｔａ  Ｒａｔｅ）がある。ＨＤＲは、通信リソースを時間分割して各通信端末に割り振るスケジューリングを行い、さらに通信品質に従って通信端末毎に伝送レートを設定してデータの伝送効率を高める方法であり、インターネット等の接続に適した方法である。
【０００４】
以下、基地局と通信端末とが、ＨＤＲにおいて伝送レートを設定するために行う動作について、図８を用いて説明する。図８において、基地局１１は、現在、通信端末１２〜１４と通信を行っているものとする。
【０００５】
まず、基地局１１が各通信端末１２〜１４にパイロット信号を送信する。各通信端末１２〜１４は、パイロット信号に基づくＳＩＲ（希望波対干渉波比）等により通信品質を推定し、通信可能な伝送レートを求める。そして、各通信端末１２〜１４は、通信可能な伝送レートに基づいて、パケット長、エラー訂正、変調方式の組み合わせである通信モードを選択し、通信モードを示す信号を基地局１１に送信する。
【０００６】
基地局１１は、各通信端末１２〜１４にて選択された通信モードに基づいてスケジューリングを行ない、通信端末毎に伝送レートを設定し、コントロールチャネルを通して各通信端末１２〜１４に各通信端末への通信リソースの割り振りを示す信号を報知する。
【０００７】
そして、基地局１１は、割り振った時間において該当する通信端末に対してのみデータを送信する。例えば、時間ｔ1を通信端末１２に割り振った場合、基地局１１は、時間ｔ1において通信端末１２に対してのみデータを送信し、通信端末１３、１４に対しては送信しない。
【０００８】
このように、従来から、ＨＤＲにより通信品質に従って通信端末毎に伝送レートを設定することにより、システム全体としてデータの伝送効率を高めている。
【０００９】
ここで、周波数選択性フェージングにより、一部の帯域の通信品質が劣化してしまう場合がある。そして、通信品質が劣化する帯域部分は通信端末毎に異なる。
【００１０】
例えば、図９の場合、通信端末１２は高周波数側の通信品質が良く、低周波数側の通信品質が悪い。また、通信端末１３は、低周波数側の通信品質が良く、高周波数側の通信品質が悪い。また、通信端末１４は、低周波数側の通信品質が良く、高周波数側の通信品質が悪い。
【００１１】
【発明が解決しようとする課題】
しかしながら、上記従来の基地局及び通信端末は、全帯域を使用して通信を行っているため、周波数選択フェージングの影響を受ける帯域において通信品質が劣化し、伝送効率が低下してしまう問題がある。
【００１２】
本発明はかかる点に鑑みてなされたものであり、周波数選択性フェージング下の環境においても高い伝送効率を維持することができる通信端末装置及び通信方法を提供することを目的とする。
【００１３】
【課題を解決するための手段】
本発明の通信端末装置は、各通信端末装置との通信可能な伝送レートをサブキャリア単位で推定し、推定した伝送レートに基づいて前記各通信端末装置への通信リソースの割り振りをサブキャリア単位で行い、割り振られたサブキャリアを用いて前記各通信端末装置に割り振り情報及びデータを送信する基地局装置と複数のサブキャリアを用いて通信する通信端末装置であって、受信したパイロット信号の受信品質をサブキャリア毎に算出する受信品質算出手段と、前記受信品質から基地局とのデータの通信に可能なレートをサブキャリア毎に算出する伝送レート算出手段と、前記レートに基づいてサブキャリア毎に基地局装置に要求する通信のレートを示すデータレートリクエスト信号を作成する要求信号作成手段と、前記データレートリクエスト信号を前記基地局装置に送信する送信手段と、前記割り振り情報に従って受信信号からサブキャリア単位で自局宛のデータを抽出する信号抽出手段を具備する構成を採る。
【００２１】
本発明の通信端末装置は、受信信号に拡散符号を乗算して逆拡散する逆拡散手段を具備し、信号抽出手段は、逆拡散された受信信号の品質に基づいて受信信号から自局宛のデータを抽出する構成を採る。
【００２２】
本発明の通信端末装置は、信号抽出手段は、逆拡散された受信信号の品質を閾値判定する構成を採る。
【００２３】
本発明の通信端末装置は、受信信号より通信リソースの割り振りを報知する制御信号を抽出する制御信号抽出手段と、前記制御信号より自局宛の割り振り情報を抽出する情報抽出手段とを具備し、信号抽出手段は、前記割り振り情報に従って自局宛のデータを抽出する構成を採る。
【００２４】
この構成によれば、サブキャリア毎にデータを受信することにより、周波数選択フェージング下の環境においても高い伝送効率を維持することができる。
【００２５】
本発明の通信方法は、通信端末装置において、受信したパイロット信号の受信品質を算出し、前記受信品質から基地局装置とのデータの通信に可能なレートをサブキャリア毎に算出し、前記レートに基づいてサブキャリア毎に基地局装置に要求する通信のレートを示すデータレートリクエスト信号を作成して前記基地局装置に送信し、前記基地局装置において、サブキャリア毎のデータレートリクエスト信号を受信し、前記データレートリクエスト信号から各通信端末装置との通信可能な伝送レートをサブキャリア単位で推定し、推定した伝送レートに基づいて前記各通信端末装置への通信リソースの割り振りをサブキャリア単位で行い、割り振られたサブキャリアを用いて前記各通信端末装置に割り振り情報及びデータを送信し、前記通信端末装置において、前記割り振り情報に従って前記データからサブキャリア単位で自局宛のデータを抽出するようにした。
【００２７】
このように、各通信端末装置においてサブキャリア毎に通信品質を推定し、基地局から各通信端末装置に通信品質が良いサブキャリアを用いてデータを送信することにより、周波数選択フェージング下の環境においても高い伝送効率を維持することができる。
【００２８】
【発明の実施の形態】
本発明の骨子は、各通信端末においてサブキャリア毎に通信品質を推定し、基地局から各通信端末に通信品質が良いサブキャリアを用いてデータを送信することである。
【００２９】
以下、本発明の実施の形態について、添付図面を参照して詳細に説明する。
【００３０】
（実施の形態１）
図１は、本発明の実施の形態１に係る基地局の構成を示すブロック図である。
【００３１】
図１において、割り当て部１０１は、後述する回線推定部１１４にて推定された各通信端末のサブキャリア毎の通信可能な伝送レートに基づいて、各通信端末への通信リソースの割り振りを決定し、バッファ部１０２に下り送信データの出力を指示する。また、割り当て部１０１は、フレーム作成部１０３に下り送信データのシンボル化を指示するとともに、各通信端末への通信リソースの割り振りを示す信号（以下、「リソース割り振り信号」という）を出力する。また、割り当て部１０１は、拡散部１０４に下り送信データに乗算する拡散符号を指示する。
【００３２】
バッファ部１０２は、下り送信データを保持し、割り当て部１０１からの指示に従って下り送信データをフレーム作成部１０３に出力する。
【００３３】
フレーム作成部１０３は、パイロット信号を生成し、割り当て部１０１からの指示に従ってバッファ部１０２から出力された下り送信データをシンボル化して所定の間隔でパイロット信号を挿入してフレームを作成し、拡散部１０４に出力する。また、フレーム作成部１０３は、リソース割り振り信号及び送信データをシンボル化してフレームを作成し、拡散部１０４に出力する。
【００３４】
なお、フレーム作成部１０３は、通信開始時に、パイロット信号のみを拡散部１０４に出力する。
【００３５】
拡散部１０４は、割り当て部１０１の指示に従ってフレーム作成部１０３の出力信号を拡散してＩＦＦＴ部１０５に出力する。
【００３６】
ＩＦＦＴ部１０５は、拡散部１０４の出力信号を逆高速フーリエ変換してＤ／Ａ変換部１０６に出力する。Ｄ／Ａ変換部１０６は、ＩＦＦＴ部１０５の出力信号をデジタルアナログ変換して送信ＲＦ部１０７に出力する。送信ＲＦ部１０７は、Ｄ／Ａ変換部１０６の出力信号の周波数を無線周波数に変換してアンテナ１０８に出力する。アンテナ１０８は、送信ＲＦ部１０７の出力信号を各通信端末に送信する。
【００３７】
アンテナ１１１は、各通信端末から無線送信された信号を受信して受信ＲＦ部１１２に出力する。受信ＲＦ部１１２は、受信信号の周波数をベースバンドに変換して復調部１１３に出力する。
【００３８】
復調部１１３は、ベースバンド信号を復調して受信データを出力する。また、復調部１１３は、ベースバンド信号に含まれるデータレートリクエスト（以下「ＤＲＲ」という）信号を回線推定部１１４に出力する。なお、ＤＲＲ信号については、後に通信端末の構成の説明に合わせて説明する。
【００３９】
回線推定部１１４は、ＤＲＲ信号に基づいて、各通信端末と通信可能な伝送レートをサブキャリア毎に推定し、推定結果を割り当て部１０１に出力する。
【００４０】
なお、受信ＲＦ部１１２、復調部１１３及び回線推定部１１４は、ユーザ毎に用意される。
【００４１】
図２は、本発明の実施の形態１に係る通信端末の構成を示すブロック図である。
【００４２】
図２において、アンテナ２０１は、図１に示した基地局から送信された無線信号を受信して受信ＲＦ部２０２に出力する。また、アンテナ２０１は、送信ＲＦ部２１０から出力された送信信号を無線信号として図１に示した基地局に送信する。
【００４３】
受信ＲＦ部２０２は、アンテナ２０１に受信された無線周波数信号の周波数をベースバンドに変換してＡ／Ｄ変換部２０３に出力する。Ａ／Ｄ変換部２０３は、ベースバンド信号をアナログデジタル変換してＦＦＴ部２０４に出力する。ＦＦＴ部２０４は、Ａ／Ｄ変換部２０３の出力信号を高速フーリエ変換して逆拡散部２０５に出力する。逆拡散部２０５は、ＦＦＴ部２０４の出力信号を逆拡散してＳＩＲ判定部２０６に出力する。
【００４４】
ＳＩＲ判定部２０６は、逆拡散部２０５の出力信号のうちパイロット信号を抽出し、パイロット信号以外の成分をサブキャリア選択部２１１に出力する。また、ＳＩＲ判定部２０６は、抽出したパイロット信号に基づいてサブキャリア毎にＳＩＲを求めて伝送レート算出部２０７に出力する。
【００４５】
伝送レート算出部２０７は、ＳＩＲに基づいて基地局と可能な伝送レートをサブキャリア毎に算出し、算出結果を要求信号作成部２０８に出力する。
【００４６】
要求信号作成部２０８は、伝送レート算出部２０７の算出結果に基づいて、基地局に各サブキャリアの伝送レートを要求する旨のＤＲＲ信号を作成して変調部２０９に出力する。変調部２０９は、ＤＲＲ信号及び上り送信データを変調して送信ＲＦ部２１０に出力する。
【００４７】
送信ＲＦ部２１０は、変調部２０９の出力信号を無線周波数に周波数変換し、アンテナ２０１に出力する。
【００４８】
サブキャリア選択部２１１は、受信制御部２１４の通知に従って、ＳＩＲ判定部２０６から出力されたパイロット信号以外の成分をサブキャリア単位で選択してＰ／Ｓ変換部２１２に出力する。
【００４９】
Ｐ／Ｓ変換部２１２は、サブキャリア選択部２１１の出力信号をパラレルシリアル変換して復調部２１３に出力する。
【００５０】
復調部２１３は、Ｐ／Ｓ変換部２１２の出力信号を復調して受信データを取り出すとともに、制御信号を受信制御部２１４に出力する。
【００５１】
受信制御部２１４は、制御信号に基づいて、自局宛の信号が搬送されるサブキャリアをサブキャリア選択部２１１に通知する。
【００５２】
次に、上記図１に示した基地局と図２に示した通信端末との間で下り回線の伝送レートを確定するまでの信号の流れについて説明する。
【００５３】
まず、基地局のフレーム作成部１０３においてパイロット信号が作成される。パイロット信号は、下り送信データとともに拡散部１０４にて拡散され、ＩＦＦＴ部１０５にて逆高速フーリエ変換され、Ｄ／Ａ変換部１０６にてデジタルアナログ変換され、送信ＲＦ部１０７にて無線周波数に周波数変換され、アンテナ１０８から各通信端末に送信される。
【００５４】
各通信端末では、アンテナ２０１に受信された信号が、受信ＲＦ部２０２にてベースバンドに周波数変換され、Ａ／Ｄ変換部２０３にてアナログデジタル変換され、ＦＦＴ部２０４にて高速フーリエ変換され、逆拡散部２０５にて逆拡散される。そして、ＳＩＲ判定部２０６にて、逆拡散部２０５からパイロット信号が抽出され、パイロット信号に基づいてＳＩＲが求められる。
【００５５】
そして、伝送レート算出部２０７にて、ＳＩＲに基づいて通信可能な伝送レートがサブキャリア毎に算出され、要求信号作成部２０８にて、各サブキャリアの伝送レートを要求する旨のＤＲＲ信号が作成される。
【００５６】
ＤＲＲ信号は、上り送信データとともに、変調部２０９にて変調され、送信ＲＦ部２１０にて無線周波数に周波数変換され、アンテナ２０１から基地局に送信される。
【００５７】
基地局では、アンテナ１１１に受信された信号が、受信ＲＦ部１１２にてベースバンドに周波数変換され、復調部１１３にて復調され、復調されたベースバンド信号に含まれるＤＲＲ信号は、回線推定部１１４に出力される。回線推定部１１４では、ＤＲＲ信号に基づいて、各通信端末と通信可能な伝送レートがサブキャリア毎に推定される。
【００５８】
割り当て部１０１では、各通信端末のサブキャリア毎の通信可能な伝送レートに基づいて、各通信端末への通信リソースの割り振りが決定され、リソース割り振り信号がフレーム作成部１０３に出力される。
【００５９】
リソース割り振り信号は、下り送信データとともに拡散部１０４にて拡散され、ＩＦＦＴ部１０５にて逆高速フーリエ変換され、Ｄ／Ａ変換部１０６にてデジタルアナログ変換され、送信ＲＦ部１０７にて無線周波数に周波数変換され、アンテナ１０８からコントロールチャネルを通じて各通信端末に報知される。
【００６０】
各通信端末では、リソース割り振り信号に基づいて、自局に割り振られた受信時間とサブキャリアとでデータを受信する。
【００６１】
基地局から通信端末に送られる下り送信データは、通信リソースの割り振りが決定するまでバッファ部１０２に蓄えられる。リソース割り振り信号が送信された後に、下り送信データは、リソース割り振り信号に従ってバッファ部１０２からフレーム作成部１０３に出力されてシンボル化される。
【００６２】
シンボル化の際に下り送信データは、リソース割り振り信号に基づいてサブキャリアと通信レートが設定される。
【００６３】
シンボル化された下り送信データは、IＦＦＴ部１０５にて逆高速フーリエ変換され、Ｄ／Ａ変換部１０６にてデジタルアナログ変換され、送信ＲＦ部１０７にて無線周波数に周波数変換され、アンテナ１０８から送信される。
【００６４】
次に、通信リソースの振り分けの具体例について説明する。
【００６５】
図３は、基地局と各通信端末の通信における周波数フェージングの影響と帯域の割り振りを示す図である。
【００６６】
図３において太線は、フェージングによる帯域の通信品質の影響を示す。
【００６７】
ユーザ１の通信端末は、帯域ｆ４、ｆ５の通信品質が良く、帯域ｆ１、ｆ２、ｆ３の通信品質が悪い。また、ユーザ２の通信端末は、帯域ｆ２、ｆ３の通信品質が良く、帯域ｆ１、ｆ４、ｆ５の通信品質が悪い。そして、ユーザ３の通信端末は、帯域ｆ１の通信品質が良く、帯域ｆ２、ｆ３、ｆ４、ｆ５の通信品質が悪い。
【００６８】
そこで、それぞれの通信端末との通信において、通信品質の良い帯域を割り振る。
【００６９】
図４は、ある基地局から各通信端末に送信するスロットにおけるリソースの振り分けの例である。横軸はスロットの送信される時刻を示す。
【００７０】
基地局からのデータの送信は、所定の長さのスロットに、制御信号とデータが含まれている。制御信号は、各ユーザにデータの送信タイミングと伝送レートを伝える信号を含み、データは、制御信号の情報に従って並べられている。
【００７１】
図４において、サブキャリア１は、帯域ｆ１を使用し、サブキャリア２は、帯域ｆ２を使用し、サブキャリア３は、帯域ｆ３を使用し、サブキャリア４は、帯域ｆ４を使用し、サブキャリア５は、帯域ｆ５を使用する。
【００７２】
基地局は、帯域ｆ１をユーザ３との通信に割り振り、帯域ｆ２、ｆ３をユーザ２との通信に割り振り、帯域ｆ４、ｆ５をユーザ３との通信に割り振る。
【００７３】
そこでサブキャリア１のタイムスロットには、ユーザ３のデータを割り振り、サブキャリア２のタイムスロットには、ユーザ２のデータを割り振り、サブキャリア３のタイムスロットには、ユーザ２のデータを割り振り、サブキャリア４のタイムスロットには、ユーザ１のデータを割り振り、サブキャリア５のタイムスロットには、ユーザ１のデータを割り振る。
【００７４】
以下、ユーザ４，５，６にもそれぞれ通信品質の良い帯域を割り振る。
【００７５】
このように、各通信端末においてサブキャリア毎に通信品質を推定し、基地局から各通信端末に通信品質が良いサブキャリアを用いてデータを送信することにより、周波数選択フェージング下の環境においても高い伝送効率を維持することができる。また、サブキャリア毎にデータを受信することにより、周波数選択フェージング下の環境においても高い伝送効率を維持することができる。
【００７６】
なお、リソース割り振り信号は、データ信号と異なる周波数又は異なる変調方式を用いて送信することもできる。
【００７７】
また、リソース割り振り信号は、サブキャリア単位のリソースの割り振り情報として、サブキャリア毎に送信することもできる。この場合、基地局は、サブキャリア単位でリソース割り振り信号を作成してデータと同じサブキャリアを用いて送信し、通信端末は、サブキャリア単位で、受信した通信リソースの割り振り信号に基づいて、データを受信することにより、リソース割り振り信号を簡略化することができる。
【００７８】
また、本実施例では、ＳＩＲ判定部２０６より出力された逆拡散後のシンボルから自局宛のシンボルを抽出しているが、本発明は、高速フーリエ変換後でかつ復調前のシンボルであれば、自局宛のシンボルを抽出できる。
【００７９】
この場合、図１のＦＦＴ部２０４、逆拡散部２０５、又はＰ／Ｓ変換部２１２からサブキャリア選択部２１１にシンボルが出力される。
【００８０】
（実施の形態２）
図５は、本発明の実施の形態２に係る基地局の構成を示すブロック図である。
【００８１】
但し、図１と同一の構成となるものについては図１と同一番号を付し、詳しい説明を省略する。
【００８２】
図５において、割り当て部１０１は、回線推定部１１４にて推定された各通信端末のサブキャリア毎の通信可能な伝送レートに基づいて、各通信端末への通信リソースの割り振りを決定し、バッファ部１０２に下り送信データの出力を指示する。また、割り当て部１０１は、フレーム作成部５０１、５１１、５２１に下り送信データのシンボル化を指示するとともに、リソース割り振り信号を出力する。また、割り当て部１０１は、下り送信データに乗算する拡散符号を拡散部５０２、５１２、５２２にそれぞれ指示する。
【００８３】
フレーム作成部５０１、５１１、５２１は、パイロット信号を生成し、割り当て部１０１からの指示に従ってバッファ部１０２から出力された下り送信データをシンボル化して所定の間隔でパイロット信号を挿入してフレームを作成し、拡散部５０２、５１２、５２２に出力する。なお、フレーム作成部５０１、５１１、５２１は、通信開始時に、パイロット信号のみを拡散部５０２、５１２、５２２に出力する。
【００８４】
拡散部５０２、５１２、５２２は、フレーム作成部５０１、５１１、５２１の出力信号を割り当て部１０１の指示の拡散符号をそれぞれ用いて拡散し、ＩＦＦＴ部１０５に出力する。
【００８５】
このように、割り当て部１０１から指示された拡散符号を用いて拡散部５０２、５１２、５２２がそれぞれ拡散を行うことにより、それぞれのサブキャリアに対して通信端末単位で拡散率を設定してシンボルを送信することができる。
【００８６】
図６は、実施の形態２における通信リソースの割り当てを示す図である。
【００８７】
太線は、各通信端末の通信にける周波数選択フェージングによる通信品質の変化を示す。
【００８８】
ユーザー１は、帯域ｆ１、ｆ２で通信品質がよく、帯域ｆ３、ｆ４、ｆ５で通信品質が悪い。また、ユーザー２は、帯域ｆ２、ｆ３で通信品質がよく、帯域ｆ１、ｆ４、ｆ５で通信品質が悪い。
【００８９】
そこで、基地局は、ユーザー１には、帯域ｆ４、ｆ５に拡散率の低い信号を送信し、低周波数側の帯域ｆ２、ｆ３に拡散率の高い信号を送信する。
【００９０】
そこで、基地局は、ユーザー１には、帯域ｆ２、ｆ３に拡散率の低い信号を送信し、低周波数側の帯域ｆ１、ｆ４に拡散率の高い信号を送信する。
【００９１】
このように、本発明の通信装置は、通信品質のよい帯域には、拡散率の低い信号を送信し、周波数選択フェージング等の影響により、通信品質の悪い帯域には、拡散率の高い信号を送信することにより、通信品質の良い帯域に、拡散率の低い信号を送信することにより高い伝送レートでデータを送信することができる。また、通信品質の悪い帯域には、拡散率の高い信号を送信することにより、同じサブキャリア上に拡散している他の信号への影響を少なくすることができる。
【００９２】
（実施の形態３）
図７は、本発明の実施の形態３に係る通信端末装置の構成を示すブロック図である。
【００９３】
但し、図２と同一の構成となるものについては図２と同一番号を付し、詳しい説明を省略する。
【００９４】
図７において、ＳＩＲ判定部７０１は、受信したパイロット信号に基づいて帯域別に信号と干渉成分の比を求めて、その結果をＳＩＲとして伝送レート算出部２０７に出力する。
【００９５】
また、ＳＩＲ判定部７０１は、受信信号のうち、所定の閾値を満たす信号を自局との通信の信号と判断して、Ｐ／Ｓ変換部２１２に出力し、所定の閾値を満たさない信号は、干渉信号として棄却する。
【００９６】
このように、各通信端末においてサブキャリア毎に通信品質を推定し、基地局から各通信端末に通信品質が良いサブキャリアを用いてデータを送信することにより、周波数選択フェージング下の環境においても高い伝送効率を維持することができる。また、サブキャリア毎にデータを受信することにより、周波数選択フェージング下の環境においても高い伝送効率を維持することができる。
【００９７】
なお、本発明の実施の形態では、ＳＩＲに基づいて基地局と可能な伝送レートをサブキャリア毎に算出しているが、これに限らず、伝送レートを算出する根拠は、信号対雑音比等の通信回線の品質を示す値でもよい。
【００９８】
また、本発明の実施の形態では、高速フーリエ変換後のシンボルに逆拡散処理を行っているが、これに限らず、サブキャリア選択後又はパラレルシリアル変換後のシンボルに高速フーリエ変換を行っても良い。
【００９９】
また、本発明は、周波数分割を用いる通信方式であれば適用することができる。
【０１００】
【発明の効果】
以上説明したように、本発明によれば、周波数選択フェージング下の環境においても高い伝送効率を維持することができる。
【図面の簡単な説明】
【図１】本発明の実施の形態１に係る基地局の構成を示すブロック図
【図２】本発明の実施の形態１に係る通信端末の構成を示すブロック図
【図３】上記実施の形態に係る基地局と各通信端末の通信における周波数フェージングの影響と帯域の割り振りを示す図
【図４】上記実施の形態に係る基地局から各通信端末に送信するスロットにおけるリソースの振り分けの例を示す図
【図５】本発明の実施の形態２に係る基地局の構成を示すブロック図
【図６】上記実施の形態に係る通信リソースの割り当てを示す図
【図７】本発明の実施の形態３に係る通信端末の構成を示すブロック図
【図８】従来のＨＤＲ方式を用いた通信形態を示す図
【図９】通信帯域における周波数選択フェージングの影響を示す図
【符号の説明】
１０１  割り当て部
１０２  バッファ部
１１４  回線推定部
２０６  ＳＩＲ判定部
２０７  伝送レート算出部
２０８  要求信号作成部
２１１  サブキャリア選択部
２１４  受信制御部
７０１  ＳＩＲ判定部
【図１】
0003911378.tif 000002
【図２】
0003911378.tif 000003
【図３】
0003911378.tif 000004
【図４】
0003911378.tif 000005
【図５】
0003911378.tif 000006
【図６】
0003911378.tif 000007
【図７】
0003911378.tif 000008
【図８】
0003911378.tif 000009
【図９】
0003911378.tif 000010